(57)【要約】【課題】廃棄しやすさを向上させることができるパンツ型使い捨ておむつを提供すること。【解決手段】おむつ１の外面に廃棄用テープ１０が設けられている。廃棄用テープ１０は固定部１２と伸長部１５と止着部１８とが、この順で廃棄用テープ１０の長手方向Ｘ１に沿って配置されているとともに、この順で積層された三つ折り状態になっている。止着部１８と伸長部１５との間が剥離可能に接合されているとともに、伸長部１５と固定部１２との間も剥離可能に接合されている。止着部１８が伸長を開始する引張強度が、伸長部１５が伸長を開始する引張強度よりも高い。伸長部１５が伸長を開始する引張強度が６．５Ｎ以下である。止着部１８と伸長部１５との間の剥離強度が４．０Ｎ以下である。【選択図】図２
2019030634.tif 000002
【特許請求の範囲】
【請求項１】
ウエスト開口部及び一対のレッグ開口部を有し、着用状態において着用者の腹側に配される腹側部及び背側に配される背側部を備えたパンツ型使い捨ておむつであって、
前記使い捨ておむつの外面に、該使い捨ておむつの廃棄形態を維持するための廃棄用テープが設けられており、
前記廃棄用テープは、前記使い捨ておむつの外面に固定されている固定部と、伸長部と、止着部とが、この順で該廃棄用テープの長手方向に沿って配置されているとともに、この順で積層された三つ折り状態になっており、
三つ折り状態になっている前記廃棄用テープは、前記止着部と前記伸長部との間が剥離可能に接合されているとともに、前記伸長部と前記固定部との間も剥離可能に接合されており、
前記止着部が伸長を開始する引張強度が、前記伸長部が伸長を開始する引張強度よりも高く、
前記伸長部と前記固定部との間の剥離強度が、該伸長部が伸長を開始する引張強度よりも低く、
前記止着部と前記伸長部との間の剥離強度が、該伸長部が伸長を開始する引張強度よりも低く、
前記伸長部が伸長を開始する引張強度が６．５Ｎ以下であり、
前記止着部と前記伸長部との間の剥離強度が４．０Ｎ以下である、パンツ型使い捨ておむつ。
【請求項２】
前記使い捨ておむつに、幅方向に沿って延びる弾性部材が配されており、
前記廃棄用テープは、平面視したときに、前記弾性部材と非交差の位置で前記使い捨ておむつの外面に設けられている請求項１に記載のパンツ型使い捨ておむつ。
【請求項３】
前記廃棄用テープは、前記使い捨ておむつの周縁域に位置する低剛性領域よりも内側に位置する高剛性領域に設けられている請求項１又は２に記載のパンツ型使い捨ておむつ。
【請求項４】
前記伸長部は、破断せずに伸長する長さが１５０ｍｍ以上である伸長性を有している請求項１ないし３のいずれか一項に記載のパンツ型使い捨ておむつ。
【請求項５】
前記伸長部は、伸長前の長さＬ１に対する伸長後の長さＬ２の比率であるＬ２／Ｌ１の値が４以上である伸長性を有している請求項１ないし４のいずれか一項に記載のパンツ型使い捨ておむつ。
【請求項６】
前記伸長部は、前記固定部との対向面に粘着部を有し、
前記粘着部による粘着力が、前記伸長部の伸長に連れて低下するようになっている請求項１ないし５のいずれか一項に記載のパンツ型使い捨ておむつ。
【請求項７】
前記粘着部が、前記伸長部の長手方向に沿って間欠的に設けられている請求項６に記載のパンツ型使い捨ておむつ。
【請求項８】
前記伸長部は、前記粘着部が設けられている部位よりも、該粘着部が設けられていない部位の方が伸長しやすくなっている請求項７に記載のパンツ型使い捨ておむつ。
【請求項９】
前記伸長部が、少なくとも５０％の永久変形を有する材料から構成されている請求項１ないし８のいずれか一項に記載のパンツ型使い捨ておむつ。
【発明の詳細な説明】
【技術分野】
【０００１】
本発明は、廃棄用テープを備えたパンツ型使い捨ておむつに関する。
【背景技術】
【０００２】
パンツ型使い捨ておむつの廃棄を容易に且つ衛生的に行うことを目的として、おむつの背側部に廃棄用のテープを三つ折り状態で配する技術が知られている。しかし、テープを単に三つ折りしただけの形態の廃棄用テープは、それを展開しても長さが３倍又はその前後にしかならないので、該廃棄用テープを固定する場所によってはその長さが足りない場合がある。このような不都合を解消する目的で、特許文献１においては、パンツ型使い捨ておむつの背側部に配された廃棄用テープとして、少なくとも一部が長手方向に伸長可能になっているものを用いることが提案されている。
【先行技術文献】
【特許文献】
【０００３】
【特許文献１】特開平９−９９０１０号公報
【発明の概要】
【発明が解決しようとする課題】
【０００４】
特許文献１に記載の技術によれば、使用後のおむつを丸めて廃棄するときに、廃棄用テープの伸長に起因してその長さが増加するので、おむつが丸められた状態を、該廃棄用テープによって維持しやすくなる。この場合、おむつが丸められた状態を確実に維持するために、廃棄用テープをできるだけ長く伸長させたいという要求がある。しかし廃棄用テープを過度に伸長させると、破断限界伸度を超えてしまい伸長部位が破断してしまうことがある。
【０００５】
したがって本発明の課題は、廃棄用テープを備えたおむつの改良にあり、更に詳しくは廃棄用テープの伸長性が向上したパンツ型使い捨ておむつを提供することにある。
【課題を解決するための手段】
【０００６】
本発明は、ウエスト開口部及び一対のレッグ開口部を有し、着用状態において着用者の腹側に配される腹側部及び背側に配される背側部を備えたパンツ型使い捨ておむつであって、
前記使い捨ておむつの外面に、該使い捨ておむつの廃棄形態を維持するための廃棄用テープが設けられており、
前記廃棄用テープは、前記使い捨ておむつの外面に固定されている固定部と、伸長部と、止着部とが、この順で該廃棄用テープの長手方向に沿って配置されているとともに、この順で積層された三つ折り状態になっており、
三つ折り状態になっている前記廃棄用テープは、前記止着部と前記伸長部との間が剥離可能に接合されているとともに、前記伸長部と前記固定部との間も剥離可能に接合されており、
前記止着部が伸長を開始する引張強度が、前記伸長部が伸長を開始する引張強度よりも高く、
前記伸長部と前記固定部との間の剥離強度が、該伸長部が伸長を開始する引張強度よりも低く、
前記止着部と前記伸長部との間の剥離強度が、該伸長部が伸長を開始する引張強度よりも低く、
前記伸長部が伸長を開始する引張強度が６．５Ｎ以下であり、
前記止着部と前記伸長部との間の剥離強度が４．０Ｎ以下である、パンツ型使い捨ておむつを提供するものことにより前記の課題を解決したものである。
【発明の効果】
【０００７】
本発明によれば、パンツ型使い捨ておむつを廃棄する際に、伸長した廃棄用テープにより廃棄しやすさを向上させることができる。
【図面の簡単な説明】
【０００８】
【図１】図１は、本発明のパンツ型使い捨ておむつの一実施形態を示す斜視図である。
【図２】図２は、図１に示すパンツ型使い捨ておむつに設けられた廃棄用テープの構造を示す断面図である。
【図３】図３は、図１に示すパンツ型使い捨ておむつを廃棄形態にするときの様子を示す斜視図である。
【図４】図４は、図１に示すパンツ型使い捨ておむつの廃棄形態を示す斜視図である。
【発明を実施するための形態】
【０００９】
以下本発明を、その好ましい実施形態に基づき図面を参照しながら説明する。図１には、本発明に係るパンツ型使い捨ておむつの一実施形態が示されている。同図に示すパンツ型使い捨ておむつ１（以下、単に「おむつ１」とも言う。）は、着用者の下腹部に装着されて使用される着用物品の一種であり、この目的のためにウエスト開口部１Ｗ及び一対のレッグ開口部１Ｌ，１Ｌを有する。おむつ１は、着用状態において着用者の腹側に位置する腹側部Ａ、着用者の背側に位置する背側部Ｂ、及び股間に位置する股下部Ｃに大別される。
【００１０】
おむつ１は、長手方向Ｘとそれに直交する幅方向Ｙとを有する。長手方向Ｘは、おむつ１を着脱する方向と一致している。またおむつ１は、その着用状態において着用者の肌と対向する側に表面シート（図示せず）を有するとともに、着用者の肌から遠い側に裏面シート（図示せず）を有する。表面シートと裏面シートとの間には吸収体２が配置されている。表面シート、裏面シート及び吸収体２は、少なくとも股下部Ｃの全域に位置するとともに、股下部Ｃから長手方向Ｘに沿って腹側部Ａ及び背側部Ｂの少なくとも一部にまでわたって延在している。
【００１１】
表面シート、裏面シート及び吸収体２としては、当該技術分野においてこれまで用いられてきたものと同様のものを特に制限なく用いることができる。また、おむつ１は、これらの部材に加えて、当該技術分野においてこれまで用いられてきた他の部材を備えていてもよい。例えばおむつ１は、吸収体２の両側部に、該吸収体２の長手方向に沿って延びる防漏カフ（図示せず）を備えていてもよい。
【００１２】
おむつ１の背側部Ｂには廃棄用テープ１０が設けられている。廃棄用テープ１０は、おむつ１の廃棄形態を維持するために用いられるものである。廃棄用テープ１０は、おむつ１の背側部Ｂにおける幅方向Ｙの略中央部に位置している。また廃棄用テープ１０は、その長手方向がおむつ１の長手方向Ｘに一致するように設けられている。
【００１３】
図２には、廃棄用テープ１０の断面構造が示されている。廃棄用テープ１０は、主として３つの部位から構成されている。具体的には、廃棄用テープ１０は、固定部１２と、伸長部１５と、止着部１８とから構成されている。これら３つの部位は、この順で廃棄用テープ１０の長手方向Ｘ１（図２参照）に沿って配置されている。またこれら３つの部位は、この順で積層された三つ折り状態になっている。固定部１２と伸長部１５との間には他の部材は介在しておらず、両者は直接に連設されている。同様に、伸長部１５と止着部１８との間にも他の部材は介在しておらず、両者は直接に連設されている。
【００１４】
廃棄用テープ１０における固定部１２は、固定部用シート片１３を有している。固定部用シート片１３は、第１面１３ａ及び第２面１３ｂを有している。また固定部１２は固定部用粘着部１４を有している。固定部用粘着部１４は、固定部用シート片１３の第２面１３ｂに設けられている。固定部１２は、固定部用粘着部１４によって、おむつ１における背側部Ｂの外面に固定されている。これによって、廃棄用テープ１０は、おむつ１における背側部Ｂの外面に着脱不能に固定されている。
【００１５】
廃棄用テープ１０における伸長部１５は、該廃棄用テープ１０に引張力が加わったときに比較的弱い引張力で容易に伸長し、廃棄用テープ１０の長さを増加させる部位である。伸長部１５は伸長部用シート片１６を有している。伸長部用シート片１６は、先に述べた固定部用シート片１３と同じ長さ及び／又は同じ幅であってもよく、あるいはそうでなくてもよい。伸長部用シート片１６は、第１面１６ａ及び第２面１６ｂを有している。また伸長部１５は伸長部用粘着部１７を有している。伸長部用粘着部１７は、伸長部用シート片１６の第２面１６ｂに設けられている。伸長部用粘着部１７は、三つ折り状態になっている廃棄用テープ１０における伸長部１５と固定部１２との間を剥離可能に接合するものである。したがって伸長部用粘着部１７は、低粘着性の粘着剤から構成されていることが好ましい。
【００１６】
先に述べた固定部１２における固定部用シート片１３は、その長手方向Ｘ１における一端が伸長部１５側に折り返されて折り返し部１３’が形成されている。そして折り返し部１３’が、伸長部１５における伸長部用シート片１６の一端と第２面１６ｂの側で接合されている。これによって、固定部１２と伸長部１５とは直接に連設されている。
【００１７】
廃棄用テープ１０における止着部１８は、おむつ１の外面における任意の位置に止着可能になっており、おむつ１の廃棄形態を廃棄用テープ１０で維持するときに、廃棄用テープ１０の先端域をおむつ１の外面に止着するための部位である。止着部１８は止着部用シート片１９を有している。止着部用シート片１９は、先に述べた固定部用シート片１３及び／又は伸長部用シート片１６と同じ長さ及び／又は同じ幅であってもよく、あるいはそうでなくてもよい。止着部用シート片１９は、第１面１９ａ及び第２面１９ｂを有している。また止着部１８は止着部用粘着部２０を有している。止着部用粘着部２０は、止着部用シート片１９の第２面１９ｂに設けられている。止着部用粘着部２０は、三つ折り状態になっている廃棄用テープ１０における止着部１８と伸長部１５との間を剥離可能に接合し、且つ止着部１８をおむつ１の外面における任意の位置に確実に止着するものである。この観点から止着部用粘着部２０の粘着性の程度が決定されることが好ましい。
【００１８】
先に述べた伸長部１５における伸長部用シート片１６は、その長手方向Ｘ１における一端が止着部１８側に折り返されて折り返し部１８’が形成されている。そして折り返し部１８’が、止着部１８における止着部用シート片１９の一端と第２面１９ｂの側で接合されている。これによって、伸長部１５と止着部１８とは直接に連設されている。また、止着部１８における止着部用シート片１９の他端には、第２面１９ｂ側に摘まみ片２１が接合されている。
【００１９】
以上のとおりの３つの部位から構成される廃棄用テープ１０は、Ｚ字状に三つ折りされている。そして、三つ折り状態になっている廃棄用テープ１０における自由端、すなわち止着部１８における摘まみ片２１の取り付け部位が、おむつ１におけるウエスト開口部１Ｗの方向を向くように、廃棄用テープ１０はおむつ１の背側部Ｂに取り付けられている。
【００２０】
廃棄用テープ１０においては、該廃棄用テープ１０をその長手方向Ｘ１に沿って引っ張った場合に、止着部１８が伸長を開始する引張強度が、伸長部１５が伸長を開始する引張強度よりも高くなっている。これによって、廃棄用テープ１０における摘まみ片２１を指で把持して廃棄用テープ１０を引っ張ったときに、止着部１８よりも先に伸長部１５が伸長するようになる。特に伸長部１５が伸長を開始する引張強度が６．５Ｎ以下であると、止着部１８に優先して伸長部１５が伸長しやすくなる。この観点から、伸長部１５が伸長を開始する引張強度は５．０Ｎ以下であることが好ましい。また、引き伸ばす必要がないときに意図せず延びてしまうことを防止する観点から、引張強度は１．０Ｎ以上であることが好ましい。この引張強度は、廃棄用テープ１０の幅に依存せずに決定される値である。各部位が伸長を開始する引張強度は、各部位の長手方向の各部位を引張試験機のチャックに取り付け、チャック間距離を１０ｍｍに設定し、３００ｍｍ／ｍｉｎの速度で引っ張ることで測定された第一極大点強度である。（第一極大点が明確に判らない場合、また、観察されない場合は伸度１０％から５０％間の伸長時の最大荷重を第一極大点強度とみなす）
【００２１】
前記と同様の観点から、廃棄用テープ１０においては、該廃棄用テープ１０をその長手方向Ｘ１に沿って引っ張った場合に、固定部１２が伸長を開始する引張強度が、伸長部１５が伸長を開始する引張強度よりも高くなっている。固定部１２は、固定部用粘着部１４によっておむつ１の外面に剥離不能に固定されているので、自ずと固定部１２が伸長を開始する引張強度は、伸長部１５が伸長を開始する引張強度よりも高くなる。
【００２２】
伸長部１５の引張強度は上述のとおりであるところ、伸長部１５を引っ張ったときに伸びる長さについては、伸長部１５は、破断せずに伸長する長さが１５０ｍｍ以上である伸長性を有していることが、おむつ１の廃棄形態を、伸長した廃棄用テープ１０によって確実に維持し得る点から好ましい。この観点から、伸長部１５は、破断せずに伸長する長さが２００ｍｍ以上である伸長性を有していることが更に好ましい。また、同様の観点から、破断せずに伸長する長さは３００ｍｍ以下であることが好ましい。破断せずに伸長する長さは、伸長部１５の長手方向の両端部を引張試験機のチャックに取り付け、３００ｍｍ／ｍｉｎの速度で引っ張ったときの破断時の長さのことであり、伸長する長さは、伸長前の長さを含んだ長さである（チャック間は止着部と固定部を挟んで測定する）。
【００２３】
また伸長部１５は、伸長前の長さＬ１に対する伸長後の長さＬ２の比率であるＬ２／Ｌ１の値が４以上である伸長性を有することが、伸長部１５の長さが短い場合であっても、該伸長部１５が十分に伸長するので、廃棄用テープ１０の長さをコンパクト化できる観点から好ましい。この観点から、Ｌ２／Ｌ１の値は５以上であることが更に好ましく、６以上であることが一層好ましい。また、過度に伸びすぎない観点から、８以下であることが好ましい。なおＬ２は、上述した破断せずに伸長する長さと同じ意味である。
【００２４】
伸長部１５が上述の引張強度や伸び量を有するためには、伸長部１５を構成する伸長部用シート片１６として、適切な材料を選択すればよい。具体的には、伸長部用シート片１６の構成材料として、例えば伸長可能なフィルムを用いることができる。そのようなフィルムとしては、例えば単一層フィルム、及び共押出しフィルムのような多層フィルムが挙げられる。また、伸長可能なフィルムを構成する材料としては、例えば線状低密度ポリエチレンなどのポリオレフィンが好ましい。また、ポリ塩化ビニル、エチレン−酢酸ビニル共重合体及びポリビニルアルコールからなる群から選択される少なくとも１種の材料も好ましい。更に、少なくとも５０％、より好ましくは少なくとも７０％の永久変形を有する材料を用いることも有利である。
【００２５】
三つ折り状態の廃棄用テープ１０を直線状に展開させて伸長部１５を首尾よく伸長させるためには、伸長部１５の伸び易さが重要であることに加えて、伸長前の状態における伸長部１５と固定部１２との間の剥離強度や、伸長前の状態における止着部１８と伸長部１５との間の剥離強度も重要な要素である。この観点から、伸長部１５と固定部１２との間の剥離強度は、伸長部１５が伸長を開始する引張強度よりも低いことが好ましい。これによって、廃棄用テープ１０をその長手方向Ｘ１に沿って引っ張ったときに、伸長部１５が伸長を開始するのに先立って、伸長部１５と固定部１２との間で剥離が生じ、廃棄用テープ１０が展開状態になりやすい。この観点から、伸長部１５と固定部１２との間の剥離強度は、伸長部１５が伸長を開始する引張強度の９５％以下であることが好ましく、９０％以下であることが更に好ましく、８５％以下であることが一層好ましい。また、引き伸ばす必要がないときに意図せず剥離が生じないようにする観点から、剥離強度は４０％以上であることが好ましい。
【００２６】
伸長部１５と固定部１２との間の剥離強度の値そのものは、伸長部１５が伸長を開始する引張強度よりも低いことを条件として、５．５Ｎ以下であることが好ましく、５．０Ｎ以下であることが更に好ましく、４．５Ｎ以下であることが一層好ましい。剥離強度の下限値は、廃棄用テープ１０の三つ折り状態を維持する観点から、０．３Ｎ以上であることが好ましく、０．５Ｎ以上であることが更に好ましく、１．０Ｎ以上であることが一層好ましい。なお、伸長部１５と固定部１２との間の剥離強度は、廃棄用テープ１０の幅に依存せずに決定される値である。
【００２７】
以上の観点から、伸長部１５と固定部１２とを剥離可能に接合する伸長部用粘着部１７としては、例えばゴム系粘着剤及びアクリル系粘着剤が一般的に使用され、好ましくはゴム系粘着剤が使用される。ゴム系粘着剤としては、例えばスチレン−ブタジエンブロック共重合体や水添スチレン−ブタジエンブロック共重合体等の合成ゴム、又はこれら合成ゴムと樹脂とのブレンド等が挙げられる。また、ヒートシール、ホットメルト系粘着剤、メルトブロー状又は繊維状の粘着剤若しくは接着剤等からなる粘着剤を用いることも好ましい。
【００２８】
伸長部１５に設けられた伸長部用粘着部１７は、その粘着力が、伸長部１５の伸長に連れて低下するようになっていることが好ましい。これによって、伸長状態の伸長部１５における伸長部用粘着部１７に、意図せず手やごみが粘着することが効果的に防止され、おむつ１の廃棄操作が行いやすくなる。この観点から、伸長部用粘着部１７は、伸長部１５が非伸長状態での粘着力Ｐ１に対する、４倍伸長状態での粘着力Ｐ２の比であるＰ２／Ｐ１の値が１．０以下であることが好ましく、０．８以下であることが更に好ましく、０．５以下であることが一層好ましい。また、同様の観点から、０以上であることが好ましい。なお、伸長部用粘着部１７の粘着力は、廃棄用テープ１０の幅に依存せずに決定される値である。
【００２９】
伸長部用粘着部１７の粘着力は、次の方法で測定される。非伸長状態の廃棄用テープ１０を直線状に展開し、伸長部用粘着部１７が鉛直上方を向くようにアクリル板に該廃棄用テープ１０を固定する。この状態下に、伸長部用粘着部１７へポリエチレン製のフィルムを重ね合わせ、幅２５ｍｍ、直径９０ｍｍ、質量１２００ｇのローラーで１往復圧着させて、貼り付ける。次いで、伸長部用粘着部１７に対して９０度の方向へフィルムを引っ張り、該フィルムの剥離を行う。剥離するまでの最大の力を伸長部用粘着部１７の粘着力と定義する。剥離速度は３００ｍｍ／ｍｉｎとし、引張試験機を用いて測定を行う。同様の測定を、伸長状態の廃棄用テープ１０についても行う。
【００３０】
伸長部用粘着部１７の粘着力を、伸長部１５の伸長に連れて低下させるには、例えば伸長部用粘着部１７を、伸長部１５の長手方向Ｘ１に沿って間欠的に設けることが好ましい。こうすることで、伸長部用粘着部１７の面積を減らすことができ、意図せず手やごみが粘着することが一層効果的に防止され、おむつ１の廃棄操作が一層行いやすくなる。この観点から、伸長前の状態において、伸長部用シート片１６における固定部との対向面である第２面１６ｂにおける伸長部用粘着部１７の占める面積の割合は７０％以下であることが好ましく、６０％以下であることが更に好ましく、５０％以下であることが一層好ましい。また、伸長部用粘着部１７の占める面積の割合は１０％以上であることが好ましく、２０％以上であることが更に好ましく、３０％以上であることが一層好ましい。特に、伸長部用粘着部１７の占める面積の割合は１０％以上７０％以下であることが好ましく、２０％以上６０％以下であることが更に好ましく、３０％以上５０％以下であることが一層好ましい。この場合、第２面１６ｂの面積には、固定部用シート片１３の折り返し部１３’が接合している部位は含まれない。
【００３１】
伸長部１５において、伸長部用シート片１６の第２面１６ｂに伸長部用粘着部１７が間欠的に設けられている場合、伸長部１５を伸長させたときに、伸長部用粘着部１７の存在に起因して、伸長部用粘着部１７が設けられている部位よりも、伸長部用粘着部１７が設けられていない部位の方が伸長しやすくなっている。これによって、伸長部１５の伸長状態において伸長部用粘着部１７の面積を一層減らすことができ、意図せず手やごみが粘着することが更に一層効果的に防止され、おむつ１の廃棄操作が更に一層行いやすくなる。
【００３２】
伸長部用粘着部１７を、伸長部１５の長手方向Ｘ１に沿って間欠的に設けることの他に、以下のような方法によっても、伸長部用粘着部１７の粘着力を、伸長部１５の伸長に連れて低下させることができる。例えば伸長部１５を伸長させたときの、伸長部用シート片１６の変形量に対する伸長部用粘着部１７の変形量を小さくしてもよい。こうすることで、伸長部１５を伸長させたときに、伸長部用シート片１６よりも先に伸長部用粘着部１７が歪みに耐えられず部分的に破断しやすくなる。伸長部用粘着部１７が部分的に破断することにより、伸長部用シート片１６の第２面１６ｂに伸長部用粘着部１７が存在していない部分が形成され、伸長部１５の伸長状態において伸長部用粘着部１７の面積を減らすことができ、伸長部用粘着部１７の粘着力を、伸長部１５の伸長に連れて低下させることができる。
【００３３】
また、伸長部用シート片１６若しくは伸長部用粘着部１７、又は伸長部用シート片１６と伸長部用粘着部１７との間に粘着力低下剤を封入したマイクロカプセルを配置し、伸長部用シート片１６の変形歪力等により該マイクロカプセルから該粘着力低下剤を放出させて、伸長部用粘着部１７の粘着力を、伸長部１５の伸長に連れて低下させることもできる。粘着力低下剤としては、炭化水素や炭化水素と界面活性剤とからなる混合物を用いることができる。マイクロカプセルとしては、ポリビニルピロリドン、カルボキシメチルセルソール、ゼラチン等の合成高分子からなるものや、メラミン・ホルムアルデヒド樹脂やイソシアネーと樹脂のような合成樹脂からなるもの等を用いることができる。
【００３４】
なお、上述した伸長部１５と固定部１２との間の剥離強度は次の方法で測定される。先ず、三つ折り状態の廃棄用テープ１０における固定部１２をアクリル板に固定する。次いで止着部１８を伸長部１５から剥離し、止着部１８の止着部用粘着部２０に補助紙を貼り付ける。補助紙の幅は、止着部用シート片１９の幅と同様とする。廃棄用テープ１０を固定したアクリル板を引張試験機のチャックに固定し、補助紙を反対側のチャックに取り付ける。チャックを、廃棄用テープ１０の展開方向（１８０°方向）に沿って３００ｍｍ／ｍｉｎの速度で移動させ、伸長部１５と固定部１２とを剥離させる。このときに観察される力の最大値を、伸長部１５と固定部１２との間の剥離強度と定義する。
【００３５】
止着部１８と伸長部１５との間の剥離強度に関しては、伸長部１５が伸長を開始する引張強度よりも低いことが好ましい。これによって、廃棄用テープ１０をその長手方向Ｘ１に沿って引っ張ったときに、伸長部１５が伸長を開始するのに先立って、止着部１８と伸長部１５との間で剥離が生じ、廃棄用テープ１０が展開状態になりやすい。この観点から、止着部１８と伸長部１５との間の剥離強度は、伸長部１５が伸長を開始する引張強度の８０％以下であることが好ましく、７０％以下であることが更に好ましく、６０％以下であることが好ましい。また、意図しない剥離を防ぐ観点から、４０％以上であることが好ましい。なお、止着部１８と伸長部１５との間の剥離強度は、廃棄用テープ１０の幅に依存せずに決定される値である。
【００３６】
止着部１８と伸長部１５との間の剥離強度の値そのものは、伸長部１５が伸長を開始する引張強度よりも低いことを条件として、４．０Ｎ以下であることが好ましく、３．０Ｎ以下であることが更に好ましく、２．０Ｎ以下であることが一層好ましい。剥離強度の上限値がこの値であることによって、廃棄用テープ１０の展開状態を容易に実現することができるとともに、止着部１８に十分な止着力を付与することができる。剥離強度の下限値は、廃棄用テープ１０の三つ折り状態を維持する観点から、０．３Ｎ以上であることが好ましく、０．５Ｎ以上であることが更に好ましく、１．０Ｎ以上であることが一層好ましい。
【００３７】
以上の観点から、止着部１８と伸長部１５とを剥離可能に接合する止着部用粘着部２０としては、例えばゴム系粘着剤及びアクリル系粘着剤が一般的に使用され、好ましくはゴム系粘着剤が使用される。ゴム系粘着剤としては、例えばスチレン−ブタジエンブロック共重合体や水添スチレン−ブタジエンブロック共重合体等の合成ゴム、又はこれら合成ゴムと樹脂とのブレンド等が挙げられる。
【００３８】
止着部１８と伸長部１５との間の剥離強度は次の方法で測定される。先ず、三つ折り状態の廃棄用テープ１０における固定部１２をアクリル板に固定する。次いで止着部１８の摘まみ片２１をチャックに取り付ける。摘まみ片が摘み難い場合は補助紙などを摘まみ片２１に貼り付けてチャックに取り付けることもできる。その場合、補助紙の幅は、止着部用シート片１９の幅と同様とする。廃棄用テープ１０を固定したアクリル板を引張試験機のチャックに固定し、摘まみ片２１（補助紙）を反対側のチャックに取り付ける。チャックを、廃棄用テープ１０の展開方向（１８０°方向）に沿って３００ｍｍ／ｍｉｎの速度で移動させ、止着部１８と伸長部１５とを剥離させる。このときに観察される力の最大値を、止着部１８と伸長部１５との間の剥離強度と定義する。補助紙としては、強度があり且つ伸びないフィルムや紙等を用いる。
【００３９】
本実施形態のおむつ１には、幅方向Ｙに沿って延びる１本又は複数本の弾性部材が配することができる。例えば、ウエスト開口部１Ｗの近傍や、ウエスト開口部１Ｗとレッグ開口部１Ｌとの間の部位である胴回り部に、幅方向Ｙに沿って延びる弾性部材を、伸長状態で配することができる。かかる弾性部材を配することで、おむつ１が着用者の身体に一層フィットするようになり、おむつ１の装着感が良好になり、また排泄物の漏れが効果的に防止される。尤も、弾性部材を配することで、該弾性部材を配した部位においては、おむつ１の外面に該弾性部材に起因する凹凸が形成されることがある。そのような凹凸が形成されている部分に廃棄用テープ１０を固定した場合、固定部１２とおむつ１の外面との間に隙間が生じて固定を確実に行えず、廃棄用テープ１０が意図せず剥離してしまう場合がある。このような不都合が生じることを防止するために、廃棄用テープ１０は、平面視したときに、弾性部材と非交差の位置でおむつ１の外面に設けられていることが有利である。
【００４０】
本実施形態におむつ１には、該おむつ１の周縁域に、ウエストギャザー３や、レッグギャザー４を形成することができる。ここで周縁域とは、吸収体２のウエスト端部側の領域をいう。これらのギャザーは、その伸縮性を良好にする観点から、低剛性領域となっている場合が多い。ここで、低剛性領域とは、下記の吸収体２と重なって比較的高剛性となって領域と比して低剛性である領域をいう。そのような低剛性領域に廃棄用テープ１０を設けた場合、低剛性領域の剛性の低さに起因して、おむつ１の廃棄時に廃棄用テープ１０を展開しにくくなる場合がある。このような不都合が生じることを防止するために、廃棄用テープ１０は、低剛性領域よりも内側に位置する高剛性領域に設けられていることが好ましい。高剛性領域としては、おむつ１において、その厚み方向に沿って見た場合に吸収体２と重なる領域が挙げられる。例えば図１に示すおむつ１においては、廃棄用テープ１０を、ウエストギャザー３の下端よりも下方の位置、換言すれば、吸収体２の上端よりも下方の位置であって、且つ吸収体２と重なる位置に、廃棄用テープ１０を設けることが好ましい。
【００４１】
図３には本実施形態のおむつ１を廃棄するときの様子が示されている。同図に示すとおり、おむつ１を廃棄するときには、おむつ１における腹側部Ａが内向きになるように、おむつ１を股下部Ｃからウエスト開口部１Ｗに向けて巻き上げていき、巻き上げ形態を作る。巻き上げ形態の完成状態では、背側部Ｂに設けられている廃棄用テープ１０が露出している。この状態下、廃棄用テープ１０の摘まみ片２１を指で把持して引っ張り、廃棄用テープ１０の三つ折りを解除して直線状に展開しつつ、伸長部１５を伸長させる。上述のとおり、伸長部１５は容易に且つ長く伸長する。次いで図４に示すとおり、長く伸びた廃棄用テープ１０によって巻き上げ形態のおむつを巻き付け、廃棄用テープ１０の先端域に位置する止着部１８の止着部用粘着部２０を、おむつ１の外面に止着して巻き上げ形態、すなわち廃棄形態を維持する。
【００４２】
以上、本発明をその好ましい実施形態に基づき説明したが、本発明は前記実施形態に制限されない。例えば前記実施形態では、廃棄用テープ１０がおむつ１の背側部Ｂに設けられていたが、廃棄用テープ１０を設ける部位はこれに限られず、例えば腹側部Ａや股下部Ｃであってもよい。また、前記実施形態では、廃棄用テープ１０は、おむつ１の幅方向Ｙにおける略中央部に設けられていたが、廃棄用テープ１０を設ける部位はこれに限られず、例えばおむつ１の左右どちらかの側部域に設けられていてもよい。更に前記実施形態では、廃棄用テープ１０は、その長手方向Ｘ１がおむつ１の長手方向Ｘに一致するように設けられていたが、廃棄用テープ１０の向きはこれに限られず、例えば廃棄用テープ１０を、その長手方向Ｘ１が、おむつ１の幅方向Ｙに一致するように設けてもよい。
【００４３】
また、本発明のパンツ型着用物品は、図１に示す形態のパンツ型使い捨ておむつに限られず、着用者の下腹部に装着されて使用されるものである限り、他の形態を有していてもよい。
【００４４】
上述した実施形態に関し、本発明は更に以下のパンツ型使い捨ておむつを開示する。
＜１＞
ウエスト開口部及び一対のレッグ開口部を有し、着用状態において着用者の腹側に配される腹側部及び背側に配される背側部を備えたパンツ型使い捨ておむつであって、
前記使い捨ておむつの外面に、該使い捨ておむつの廃棄形態を維持するための廃棄用テープが設けられており、
前記廃棄用テープは、前記使い捨ておむつの外面に固定されている固定部と、伸長部と、止着部とが、この順で該廃棄用テープの長手方向に沿って配置されているとともに、この順で積層された三つ折り状態になっており、
三つ折り状態になっている前記廃棄用テープは、前記止着部と前記伸長部との間が剥離可能に接合されているとともに、前記伸長部と前記固定部との間も剥離可能に接合されており、
前記止着部が伸長を開始する引張強度が、前記伸長部が伸長を開始する引張強度よりも高く、
前記伸長部と前記固定部との間の剥離強度が、該伸長部が伸長を開始する引張強度よりも低く、
前記止着部と前記伸長部との間の剥離強度が、該伸長部が伸長を開始する引張強度よりも低く、
前記伸長部が伸長を開始する引張強度が６．５Ｎ以下であり、
前記止着部と前記伸長部との間の剥離強度が４．０Ｎ以下である、パンツ型使い捨ておむつ。
【００４５】
＜２＞
前記使い捨ておむつに、幅方向に沿って延びる弾性部材が配されており、
前記廃棄用テープは、前記弾性部材と非交差の位置で前記使い捨ておむつの外面に設けられている前記＜１＞に記載のパンツ型使い捨ておむつ。
＜３＞
前記廃棄用テープは、前記使い捨ておむつの周縁域に位置する低剛性領域よりも内側に位置する高剛性領域に設けられている前記＜１＞又は＜２＞に記載のパンツ型使い捨ておむつ。
＜４＞
前記伸長部は、破断せずに伸長する長さが１５０ｍｍ以上である伸長性を有している前記＜１＞ないし＜３＞のいずれか１に記載のパンツ型使い捨ておむつ。
＜５＞
前記伸長部は、伸長前の長さＬ１に対する伸長後の長さＬ２の比率であるＬ２／Ｌ１の値が４以上である伸長性を有している前記＜１＞ないし＜４＞のいずれか１に記載のパンツ型使い捨ておむつ。
＜６＞
前記伸長部は、前記固定部との対向面に粘着部を有し、
前記粘着部による粘着力が、前記伸長部の伸長に連れて低下するようになっている前記＜１＞ないし＜５＞のいずれか１に記載のパンツ型使い捨ておむつ。
【００４６】
＜７＞
前記粘着部が、前記伸長部の長手方向に沿って間欠的に設けられている前記＜６＞に記載のパンツ型使い捨ておむつ。
＜８＞
前記伸長部は、前記粘着部が設けられている部位よりも、該粘着部が設けられていない部位の方が伸長しやすくなっている前記＜７＞に記載のパンツ型使い捨ておむつ。
＜９＞
前記伸長部が、少なくとも５０％の永久変形を有する材料から構成されている前記＜１＞ないし＜８＞のいずれか１に記載のパンツ型使い捨ておむつ。
＜１０＞
前記伸長部が伸長を開始する引張強度は１．０Ｎ以上であることが好ましく、５．０Ｎ以下であることが好ましい前記＜１＞ないし＜９＞のいずれか１に記載のパンツ型使い捨ておむつ。
＜１１＞
前記伸長部は、破断せずに伸長する長さが１５０ｍｍ以上、特に２００ｍｍ以上である伸長性を有していることが好ましく３００ｍｍ以下であることが好ましい前記＜１＞ないし＜１０＞のいずれか１に記載のパンツ型使い捨ておむつ。
＜１２＞
前記伸長部は、伸長前の長さＬ１に対する伸長後の長さＬ２の比率であるＬ２／Ｌ１の値が５以上であることが更に好ましく、６以上であることが一層好ましく、８以下であることが好ましい前記＜１＞ないし＜１１＞のいずれか１に記載のパンツ型使い捨ておむつ。
【００４７】
＜１３＞
前記伸長部と前記固定部との間の剥離強度は、前記伸長部が伸長を開始する引張強度の９５％以下であることが好ましく、９０％以下であることが更に好ましく、８５％以下であることが一層好ましく４０％以上であることが好ましい前記＜１＞ないし＜１２＞のいずれか１に記載のパンツ型使い捨ておむつ。
＜１４＞
前記伸長部と前記固定部との間の剥離強度は、前記伸長部が伸長を開始する引張強度よりも低いことを条件として、５．５Ｎ以下であることが好ましく、５．０Ｎ以下であることが更に好ましく、４．５Ｎ以下であることが一層好ましく、０．３Ｎ以上であることが好ましく、０．５Ｎ以上であることが更に好ましく、１．０Ｎ以上であることが一層好ましい前記＜１＞ないし＜１３＞のいずれか１に記載のパンツ型使い捨ておむつ。
＜１５＞
前記伸長部は伸長部用粘着部を有し、
前記伸長部用粘着部は、前記伸長部が非伸長状態での粘着力Ｐ１に対する、４倍伸長状態での粘着力Ｐ２の比であるＰ２／Ｐ１の値が２．０以下であることが好ましく、１．０以下であることが更に好ましく、０．５以下であることが一層好ましく、０以上であることが好ましい前記＜１＞ないし＜１４＞のいずれか１に記載のパンツ型使い捨ておむつ。＜１６＞
前記伸長部は伸長部用シート片を有し、
前記伸長部は伸長部用粘着部を有し、
前記伸長部用シート片は、第１面及び第２面を有しており、
伸長前の状態において、前記伸長部用シート片における前記固定部との対向面である第２面における前記伸長部用粘着部の占める面積の割合は７０％以下であることが好ましく、６０％以下であることが更に好ましく、５０％以下であることが一層好ましく、１０％以上であることが好ましく、２０％以上であることが更に好ましく、３０％以上であることが一層好ましい前記＜１＞ないし＜１５＞のいずれか１に記載のパンツ型使い捨ておむつ。
＜１７＞
前記止着部と前記伸長部との間の剥離強度は、前記伸長部が伸長を開始する引張強度の８０％以下であることが好ましく、７０％以下であることが更に好ましく、６０％以下であることが好ましく、４０％以上であることが好ましい前記＜１＞ないし＜１６＞のいずれか１に記載のパンツ型使い捨ておむつ。
【００４８】
＜１８＞
前記止着部と前記伸長部との間の剥離強度は、前記伸長部が伸長を開始する引張強度よりも低いことを条件として、４．０Ｎ以下であることが好ましく、３．０Ｎ以下であることが更に好ましく、２．０Ｎ以下であることが一層好ましく、０．３Ｎ以上であることが好ましく、０．５Ｎ以上であることが更に好ましく、１．０Ｎ以上であることが一層好ましい前記＜１＞ないし＜１７＞のいずれか１に記載のパンツ型使い捨ておむつ。
＜１９＞
前記廃棄用テープが、ウエストギャザーの下端よりも下方の位置に設けられている前記＜１＞ないし＜１８＞のいずれか１に記載のパンツ型使い捨ておむつ。
＜２０＞
前記廃棄用テープが、吸収体の上端よりも下方の位置であって、且つ該吸収体と重なる位置に設けられている前記＜１＞ないし＜１９＞のいずれか１に記載のパンツ型使い捨ておむつ。
＜２１＞
前記固定部と前記伸長部との間に他の部材は介在しておらず、両者は直接に連設されている前記＜１＞ないし＜２０＞のいずれか１に記載のパンツ型使い捨ておむつ。
＜２２＞
前記伸長部と前記止着部との間に他の部材は介在しておらず、両者は直接に連設されている前記＜１＞ないし＜２１＞のいずれか１に記載のパンツ型使い捨ておむつ。
【００４９】
＜２３＞
前記固定部が固定部用シート片を有し、
前記伸長部が伸長部用シート片を有し、
前記伸長部は伸長部用粘着部を有し、
前記伸長部用シート片は、第１面及び第２面を有しており、
前記伸長部用粘着部は、前記伸長部用シート片の第２面に設けられており、
前記固定部用シート片は、その長手方向における一端が前記伸長部側に折り返されて折り返し部が形成されており、
前記折り返し部が、前記伸長部用シート片の一端と第２面の側で接合されている前記＜１＞ないし＜２２＞のいずれか１に記載のパンツ型使い捨ておむつ。
＜２４＞
前記伸長部が伸長部用シート片を有し、
前記止着部は止着部用シート片を有し、
前記止着部は止着部用粘着部を有し
前記止着部用シート片は、第１面及び第２面を有し、
前記止着部用粘着部は、前記止着部用シート片の第２面に設けられており、
前記伸長部用シート片は、その長手方向における一端が前記止着部側に折り返されて折り返し部が形成されており、
前記折り返し部が、前記止着部用シート片の一端と第２面の側で接合されている前記＜１＞ないし＜２３＞のいずれか１に記載のパンツ型使い捨ておむつ。
＜２５＞
三つ折り状態になっている前記廃棄用テープにおける自由端が、前記ウエスト開口部の方向を向くように、該廃棄用テープ前記背側部に取り付けられている前記＜１＞ないし＜２４＞のいずれか１に記載のパンツ型使い捨ておむつ。
【実施例】
【００５０】
以下、実施例により本発明を更に詳細に説明する。しかしながら本発明の範囲は、かかる実施例に制限されない。
【００５１】
〔実施例１〕
パンツ型使い捨ておむつとして、花王株式会社製のパンツ型使い捨ておむつであるメリーズパンツ（２０１７年製、登録商標）を用いた。このおむつから廃棄用テープを取り除き、以下の表１に示す諸元を有し、且つ図２に示す構造を有する廃棄用テープを取り付け、図１に示す形態のパンツ型使い捨ておむつを得た。
【００５２】
〔実施例２及び３並びに比較例１及び２〕
実施例１において、廃棄用テープとして、表１に示す諸元を有するものを用いた。これ以外は実施例１と同様にしてパンツ型使い捨ておむつを得た。
【００５３】
〔評価〕
実施例及び比較例で得られたパンツ型使い捨ておむつについて、廃棄用テープによるおむつの廃棄のしやすさを以下の方法で評価した。その結果を表１に示す。
【００５４】
〔おむつの廃棄のしやすさ〕
実施例及び比較例で得られたおむつを対象として、おむつを巻き上げて丸め、廃棄用テープで固定する操作を２０人のモニターに行わせた。そのときの操作のしやすさを評価させ、以下の判定基準に分類した。
＜判定基準＞
Ａ：８割以上のモニターが、廃棄用テープが延びて廃棄しやすいと回答した。
Ｂ：５割以上８割未満のモニターが、廃棄用テープが延びて廃棄しやすいと回答した。
Ｃ：５割未満のモニターが、廃棄用テープが延びて廃棄しやすいと回答した。
【００５５】
【表１】
2019030634.tif 000003
【００５６】
表１に示す結果から明らかなとおり、各実施例のおむつは、比較例のおむつに比べて、おむつを丸めて廃棄するときの操作性に優れることが判る。
【符号の説明】
【００５７】
１  パンツ型使い捨ておむつ
１Ｌ  レッグ開口部
１Ｗ  ウエスト開口部
２  吸収体
３  ウエストギャザー
４  レッグギャザー
１０  廃棄用テープ
１２  固定部
１３  固定部用シート片
１４  固定部用粘着部
１５  伸長部
１６  伸長部用シート片
１７  伸長部用粘着部
１８  止着部
１９  止着部用シート片
２０  止着部用粘着部
２１  摘まみ片
Ａ  腹側部
Ｂ  背側部
Ｃ  股下部
【図１】
2019030634.tif 000004
【図２】
2019030634.tif 000005
【図３】
2019030634.tif 000006
【図４】
2019030634.tif 000007